(57)【要約】【課題】吹出し口から吹出す清浄化空気の吹出し効率を高め居住性を向上することのできる空気清浄機、また、吹出し口から低い風速の清浄化空気を吹出すことにより、より良好な居住性を得ることのできる空気清浄機を提供する。【解決手段】空気の吸込みスリット２、エアフィルター、送風ファンユニット、吹出しユニット及び空気の吹出しスリット３を有する主筐体１と、吹出しユニット及び空気の吹出しスリット５を有する副筐体４と、主筐体１と副筐体４を接続する回転式風路６とを備えた。【選択図】        図１
2004251499.tif 000002
【特許請求の範囲】
【請求項１】
空気の吸込み口、エアフィルター、送風ファンユニット、吹出しユニット及び空気の吹出し口を有する主筐体と、吹出しユニット及び空気の吹出し口を有する副筐体と、前記主筐体と副筐体を接続する回転式風路とを備えたことを特徴とする空気清浄機。
【請求項２】
前記回転式風路はヒンジ機能を備えたことを特徴とする請求項１記載の空気清浄機。
【請求項３】
前記主筐体と副筐体の空気の吹出し口の合計有効面積を、これら吹出し口から吹出す空気の風速が気象庁風力階級表による風力階級０〜１になるように設定したことを特徴とする請求項１記載の空気清浄機。
【請求項４】
空気の吸込み口、エアフィルター、送風ファンユニット、吹出しユニット及び空気の吹出し口を有する空気清浄機において、
前記空気の吹出し口の有効面積を、該吹出し口から吹出す空気の風速が気象庁風力階級表による風力階級０〜１になるように設定したことを特徴とする空気清浄機。
【発明の詳細な説明】
【０００１】
【発明の属する技術分野】
本発明は、室内の空気を清浄にできるとともに、清浄な空気を供給することのできる空気清浄機に関するものである。
【０００２】
【従来の技術】
従来のこの種空気清浄機に、本体の一側に空気の吸込口、本体の他側部に空気の吹出口がそれぞれ形成され、吹出口にはそこから吸込口側に延出されたほぼＬ字形状のチャンバが接続されている。そして、吹出口に接続されるチャンバの接続口は吹出口よりも吸込口側に長い寸法に形成されており、その接続口の周囲のフランジを本体に固定し接続するようにしたものがある（例えば、特許文献１参照）。
【０００３】
また、ファン、フィルターを内蔵した本体ケースの前面に吸込口を、上面に吐出口を形成するとともに、本体ケースの前面上部に壁板で覆れる上部吹出体を設け、また、本体ケースの前面下部に置き台兼用の壁板でつながれた下部吹出体を設ける。そして、上部吹出体が前方へ突出する姿勢では吐出口が塞がれ、ファンにより外気が吸込口から吸引され、フィルターを通過して清浄化される。この清浄化された空気は吹出体から吹出して吸込口の周りにトンネル状のエアカーテンを形成し、タバコの煙などはエアカーテンの内部を通って吸込口に吸引される。上部吹出体が折り畳まれた姿勢では、吐出口が開放されて清浄空気を吐出口から吹き出すように構成したものがある（例えば、特許文献２参照）。
【０００４】
【特許文献１】
特開平６−２９４５２５号公報（第４頁、図１）
【特許文献２】
特開平１１−１５９８１４号公報（第８頁、図３）
【０００５】
【発明が解決しようとする課題】
特許文献１に記載の発明は、本体にチャンバを安定かつ確実に接続することができるが、清浄な空気を吹出口からどのように吹出すかについては考慮されていない。空気を清浄にする効率を高めるためには風量を大きくする必要があるが、風量を大きくすると風が強すぎるという問題があるが、このような問題が解決されていない。
【０００６】
また、特許文献２に記載の発明は、吹出口から吹出された清浄な空気がトンネル状のエアカーテンを形成し、このエアカーテンの内部を通って煙草の煙などを吸引するようにしているが、汚れた空気と清浄な空気とが隣接しており、清浄な空気だけの空間を確保することができないという問題がある。
【０００７】
本発明は、上記の課題を解決するためになされたもので、吹出し口から吹出す清浄化空気の吹出し効率を高め、居住性を向上することのできる空気清浄機を提供することを目的したものである。
また、本発明は、吹出し口から低い風速の清浄化空気を吹出すことにより、より良好な居住性を得ることのできる空気清浄機を提供することを目的としたものである。
【０００８】
【課題を解決するための手段】
本発明に係る空気清浄機は、空気の吸込み口、エアフィルター、送風ファンユニット、吹出しユニット及び空気の吹出し口を有する主筐体と、吹出しユニット及び空気の吹出し口を有する副筐体と、前記主筐体と副筐体を接続する回転式風路とを備えたものである。
【０００９】
【発明の実施の形態】
［実施の形態１］
図１は本発明の実施の形態１に係る空気清浄機の概要を示す斜視図である。
本実施の形態に係る空気清浄機は、主筐体１、副筐体４及び両者を接続する回転式風路６からなるものである。そして、主筐体１の背面には、外気の吸込み口である複数の吸込みスリット２が設けられており、前面には清浄化された空気の吹出し口である複数の第１の吹出しスリット３が設けられている。なお、吸込みスリット２は、主筐体１の背面に限定するものではなく、側面又は天面に設けあるいはこれら複数の面に設けてもよい。
また、空気の流通が可能で、かつヒンジ機能を備えた回転式風路６を介して主筐体１に接続された副筐体４の前面には、清浄化された空気の吹出し口である複数の第２の吹出しスリット５が設けられている。
【００１０】
主筐体１内には、図２に示すように、吸込みスリット２の前面側にエアフィルター７が設けられている。このエアフィルター７は、脱臭フィルターあるいは電極を使用した空気清浄手段を用いてもよく、さらには、複数の空気清浄手段を用いたユニットでもよい。
また、エアフィルター７の前面側には送風ファンユニット８が設けられている。この送風ファンユニット８は、図３に示すように、モータ９及びこのモータ９に機械的に接続された送風ファン１０がケーシング１１内に収容されており、このケーシング１１の側面には、吹出し風路１２が設けられ、この吹出し風路１２には、回転式風路６側に開口する開口部１３と、後述の第１の吹出しユニット１５側に開口する開口部１４とが設けられている。なお、送風ファン１０は、図にはシロッコファンを示したが、他の構造のものでもよい。
【００１１】
さらに、送風ファン８の前面側と第１の吹出しスリット３との間には、図４に示すように、前面側に複数の吹出し孔１６が設けられた中空で板状の第１の吹出しユニット１５が、主筐体１の前部内面のほぼ全域にわたって設けられており、その側面には、吹出し風路１２の開口部１４に接続される吸込み口１７が設けられている。なお、図には第１の吹出しユニット１５に円形の吹出し孔１６を設けた場合を示したが、吹出し孔１６の形状は多角形等他の形状であってもよい。また、吹出し孔１６の大きさも一定でく変化させてもよく、その密度も一定でなくてもよい。
【００１２】
回転式風路６は、図５に示すように、角筒状の第１の風路１８と第２の風路２１とからなり、第１の風路１８の下面に設けられ吸込み口１９と連通する円筒状の第１の連結部２０が、第２の風路２１の上面に設けられ、その内径が第１の連結部２０の外径とほぼ等しく吹出し口２３に連通する円筒状の第２の連結部２２に回動可能に嵌合されており、これによりヒンジ機能が付与されている。
そして、第１の風路１８の吸込み口１９は主筐体１の吹出し風路１２の開口部１３に接続され、第２の風路２１の吹出し口２３は後述する副筐体４の第２の吹出しユニット２４の吸込み口２６に接続される。なお、図１においては、回転式風路６を簡略化して直方体状に図示してある。
【００１３】
副筐体４内には、図６、図７に示すように、板状で中空の本体の前面側に複数の吹出し孔２５が設けられた第２の吹出しユニット２４が、副筐体４の前部内面のほぼ全域にわたって設けられており、側面には回転式風路６の吹出し口２３に接続される吸込み口２６が設けられている。なお、第２の吹出しユニット２４の吹出し孔２５の形状、大きさ、密度等は、図４で説明した第１の吹出しユニット１５の吹出し孔１６と同様に適宜変更することができる。
【００１４】
次に、上記のように構成した本実施の形態の作用について説明する。
送風ファンユニット８のモータ９に通電して送風ファン１０を駆動すると、図１、図２に示すように、主筐体１の吸込みスリット２から外気３０が吸込まれ、エアフィルター７を通過することにより清浄な空気３１となる。この清浄な空気３１は送風ファンユニット８により吹出し風路１２に送られ、その一部は分岐して第１の吹出しユニット１５に送られて吹出し孔１６から吹出し、第１の吹出しスリット３から清浄な空気３２として吹出す。
【００１５】
また、吹出し風路１２に送られた空気３１の一部は、回転式風路６の吸込み口１９、吹出し口２３を経て副筐体４の第２の送出しユニット２４に送られて吹出し孔２５から吹出し、第２の吹出しスリット２５から清浄な空気３３として吹出す。
【００１６】
上記の説明では、主筐体１の一方の側に副筐体４を接続した場合を示したが、主筐体１の両側に副筐体４を接続してもよく、あるいは、主筐体１に複数の副筐体４を直列に接続してもよい。
【００１７】
本実施の形態によれば、清浄な空気の吹出し口を有する主筐体１に、同じく吹出し口を有する１台又は複数台の副筐体４を回転式風路６により接続するようにしたので、居住空間の空気清浄化効率を高めることができ、居住性を向上することができる。
また、副筐体４は回転式風路６により主筐体１に対して回転することができるので、副筐体４を回転させてその吹出し口を所望の位置に向けることができるため便利である。さらに、副筐体４を１８０°回転して主筐体１と対面させることによりコンパクトになるので、梱包、輸送等に便利な空気清浄機を得ることができる。
【００１８】
［実施の形態２］
本実施の形態は、吹出し口から吹出す空気の風速を適正に設定することにより、さらに居住性を向上することのできる空気清浄機を得るようにしたものである。
例えば、大きさが中型の位置づけにある風量４ｍ３／ｍｉｎの空気清浄機（実施の形態１における主筐体のみの場合）において、空気の吹出し口の大きさ（複数ある場合はその合計大きさをいい、以下の説明では吹出し口の有効面積という）を約１００ｍｍ×１５０ｍｍとすると、この場合の風速Ｔは、
Ｔ＝４／６０／０．１／０．１５＝４．４（ｍ／ｓｅｃ）…（１）
となる。
【００１９】
この風速４．４ｍ／ｓｅｃは、気象庁風力階級表によると、風力階級３（風速３．４〜５．５ｍ／ｓｅｃ）に分類され、陸上では木の葉や細い小枝が絶えず動き、軽い旗が開くとあり、海上では小波の小さいもの、波がしらが砕けはじけるとある。このような風力階級３の吹出し空気を居住空間に使用するには風速が大きすぎて、好ましくない。
【００２０】
こような問題を解決するために、本実施の形態においては、吹出し口を大きくすることにより、吹出し空気の風速の低速化を実現した。
例えば、吹出し口の合計大きさ（有効面積）を、約３００ｍｍ×４００ｍｍとすると、この場合の風速Ｔは、
Ｔ＝４／６０／０．３／０．４＝０．５５（ｍ／ｓｅｃ）…（２）
となる。
【００２１】
この風速０．５５ｍ／ｓｅｃは、気象庁風力階級表によると、風力階級１（風速０．３〜１．６ｍ／ｓｅｃ）に分類され、陸上では煙がなびくので風の向きはわかるが風見には感じないとあり、海上ではうろこのようなさざ波ができるが、波がしらに泡はないとある。
このように、空気清浄機の吹出し口から風力階級１の風速で空気を吹出して居住空間を形成することにより、居住性を向上することができる。なお、構造上可能であれば、吹出し口の大きさを、後述の実施の形態３で説明する気象庁風力階級表による風力階級０に設定してもよく、これにより、より良好な居住性を得ることができる。
【００２２】
［実施の形態３］
本実施の形態は、実施の形態１に係る主筐体と副筐体からなる空気清浄機において、適正な吹出し空気の風速を得るためのもものである。
実施の形態１における主筐体１の吹出し口（第１の吹出しスリット３）の有効面積を、実施の形態２の場合と同様に気象庁風力階級表による風力階級１とした場合、さらに居住性を向上するために、副筐体４の吹出し口（第２の吹出しスリット５）の有効面積を、主筐体１の吹出し口の有効面積と等価にすると、吹出し口の有効面積が２倍になるため、両者からの吹出し空気の風速Ｔは、（２）式の２分の１、すなわち、それぞれ０．２７５ｍ／ｓｅｃとなる。
【００２３】
この風速０．２７５ｍ／ｓｅｃは、気象庁風力階級表による風力階級０（風速０．３ｍ／ｓｅｃ未満）に分類され、陸上では静穏、煙はまっすぐ昇るとあり、海上では鏡のような海面とある。このため、風力階級０の吹出し空気で居住空間を形成すると、申分のない良好な居住性を得ることができる。
【００２４】
上記の説明では、主筐体１と副筐体４からなる空気清浄機において、両者の吹出し口から吹出す空気の風速を、気象庁風力階級表の風力階級０とした場合を示したが、構造上大きな吹出し口を設けられない場合やその他の理由により、吹出し口から吹出す空気の風速を、気象庁風力階級表の風力階級０〜１の範囲としてもよい。
【００２５】
上記の各実施の形態においては説明を省略したが、実施の形態１，３に係る主筐体１、実施の形態２に係る空気清浄機には、各種スイッチや表示を制御する制御部が設けられている。
【００２６】
【発明の効果】
本発明に係る空気清浄機は、空気の吸込み口、エアフィルター、送風ファンユニット、吹出しユニット及び空気の吹出し口を有する主筐体と、吹出しユニット及び空気の吹出し口を有する副筐体と、主筐体と副筐体を接続する回転式風路とを備えたので、吹出し口から吹出す清浄化空気の吹出し効率を高め、居住性を向上することができる。
【図面の簡単な説明】
【図１】本発明の実施の形態１に係る空気清浄機の概要を示す斜視図である。
【図２】図１の主筐体の平断面図である。
【図３】図２の送風ファンユニットの分解斜視図である。
【図４】図２の第１の吹出しユニットの斜視図である。
【図５】図１の回転式風路の分解斜視図である。
【図６】図１の副筐体の平断面図である。
【図７】図６の第２の吹出しユニットの斜視図である。
【符号の説明】
１  主筐体、２  空気の吸込みスリット、３  第１の吹出しスリット、４  副筐体、５  第２の吹出しスリット、６  回転式風路、７  エアフィルター、８  送風ファンユニット、１５  第１の吹出しユニット、２４  第２の吹出しユニット。
【図１】
2004251499.tif 000003
【図２】
2004251499.tif 000004
【図３】
2004251499.tif 000005
【図４】
2004251499.tif 000006
【図５】
2004251499.tif 000007
【図６】
2004251499.tif 000008
【図７】
2004251499.tif 000009